(57)【要約】      （修正有）【課題】強制換気システムを採用する木造住宅において、給気装置による外壁（外壁化粧材）の汚損を防止する換気装置を提供する。【解決手段】ファン装置を備える排気装置と、ファン装置を備えない外気導入用の給気装置とを備える木造住宅の換気装置において、給気装置４０の外気取入部４１を、躯体の柱材３２−１と外壁化粧材３３との間のクリアランス部３２−４に設ける。外気取入部は外壁化粧材に覆われた状態になるので、気圧の変化（強風等）による影響を受けにくく、排気装置が停止している場合でも、結露は生じにくくなる。仮に結露が生じたとしても、外壁化粧材の表面が汚損されることはない。このため、長期にわたって木造住宅の美観を保証することが出来る。【選択図】図２
0003211082.tif 000002
【実用新案登録請求の範囲】
【請求項１】
ファン装置を備える排気装置と、
ファン装置を備えない外気導入用の給気装置とを備える木造住宅の換気装置において、
前記給気装置の外気取入部を、
躯体の柱材と外壁化粧材との間のクリアランス部に設けることを特徴とする木造住宅の換気装置。
【請求項２】
給気装置の外気取入部は、
外壁化粧材と略平行な垂直面を備える箱状体に成形し、
該箱状体の側面、上面、下面のうち少なくともいずれか一に空気取入開口を設けることを特徴とする請求項１記載の木造住宅の換気装置。
【請求項３】
躯体の柱材の屋外側に構造用合板を配し、
当該構造用合板と外壁化粧材との間のクリアランス部に給気装置の外気取入部を配することを特徴とする請求項１または請求項２記載の木造住宅の換気装置。
【考案の詳細な説明】
【技術分野】
【０００１】
本考案は、木造住宅の換気装置に係り、とくに強制換気システムにおける給気装置の取り付け構造に関する。
【背景技術】
【０００２】
戸建ての木造住宅における換気システムは、自然換気と強制換気とがあるが、気密性の高い近時の木造住宅では、住宅内の適当箇所にファン装置を備える排気装置を設け、ファン装置を備えない給気装置（例えば外気の導入管等）を適宜数設けて、ゆるやかな給気／排気による２４時間換気を行う。
【０００３】
図６は、木造住宅における換気システムの一例を示すもので、住宅１の適宜箇所に強制換気を行うための排気装置２を配する一方、複数の箇所に外気導入用の給気装置４を配する。
【０００４】
６は、給気装置４から取り入れた室内等空気を、排気装置２に送り込むダクト（排気専用管）である。ダクト６は、天井裏／床下／小屋裏等に配する。共用可能な場合は、例えば、複数の空気取入口５から入った室内空気を、一本の共用ダクト６−１を介して排気装置２に送る。独立のダクト６−２を介して、排気装置２に送っても良い。
【０００５】
従来、給気装置４は、図７に示すように、外壁化粧材（外装材）７よりも屋外側に突出（露出）させて設けた（例えば、下記特許文献１、特許文献２）。４−１は、屋外側の外気取入部、４−２は、パイプ材、４−３は、室内側の外気排出部である。外気取入部４−１には、ゴミや昆虫の侵入を避けるためのフィルター材を配する場合がある。
【０００６】
８は基礎、９は土台、１１は柱材（躯体の柱材）、１２は床（床構造体）、１３は内装材（内壁構造体）、１４は胴差、１６は、内装材１３の受材である。
【先行技術文献】
【特許文献】
【０００７】
【特許文献１】特開２０００−３３６７８７
【特許文献２】特開平１０−６１０４４
【考案の開示】
【考案が解決しようとする課題】
【０００８】
問題は、給気装置４の外気取入部４−１を屋外側に露出させることにより、結露によって外壁化粧材７が、汚損される点にある。
【０００９】
図７では、一階部分に配する給気装置４を例示したが、二階部分にも給気装置４を配するので、外壁（７）の汚損が進むと住宅全体が汚れて見える。
【００１０】
排気装置２は、小型モータ（例えばＤＣモータ等）によって２４時間の排気を行うから、通常は、外気取入部４−１の周囲に結露が生ずることはない。しかしながら、気圧が不安定なとき（強風のとき）や、長期外出／停電等によって排気装置２が作動停止している場合には、外気取入部４−１を介して室内空気が屋外に流出することがあり、その場合に、暖気（室内空気）と冷気（冬期外気）とが混ざり合って結露を生じ、外壁（７）を汚損する。
【００１１】
そこで、本考案の目的は、強制換気システムにおける、給気装置による外壁（外壁化粧材）の汚損を防止する点にある。
【課題を解決するための手段】
【００１２】
前記目的を達成するため、本考案に係る木造住宅の換気装置は、ファン装置を備える排気装置と、ファン装置を備えない外気導入用の給気装置とを備える木造住宅の換気装置を技術的前提として、前記給気装置の外気取入部を、躯体の柱材と外壁化粧材との間のクリアランス部に設ける（請求項１）。
【００１３】
躯体の柱材と外壁化粧材との間のクリアランス部（隙間）に外気取入部を設ければ、外気取入部は外壁化粧材に覆われた状態になるので、気圧の変化（強風等）による影響を受けにくく、排気装置が停止している場合でも、結露は生じにくくなる。
【００１４】
また、仮に結露が生じたとしても、外壁化粧材の表面が汚損されることはない。このため、長期にわたって木造住宅の美観を保証することが出来る。
【００１５】
給気装置の外気取入部は、外壁化粧材と略平行な垂直面を備える箱状体に成形し、該箱状体の側面、上面、下面のうち少なくともいずれか一に空気取入開口を設ける場合がある（請求項２）。
【００１６】
躯体の柱材と外壁化粧材との間のクリアランス部の幅寸法は小さい（狭い）が、給気装置の外気取入部を、外壁化粧材と略平行な垂直面を備える箱状体に成形することにより、狭い隙間に外気取入部を設置し易くすることが出来る。
【００１７】
また、箱状体の側面、上面、下面のうち少なくともいずれか一に空気取入開口を設けることにより、外壁化粧材と略平行な垂直面と外壁化粧材とが接近／当接している場合でも、安定した空気取り入れが可能となる。
【００１８】
躯体の柱材の屋外側に構造用合板を配し、当該構造用合板と外壁化粧材との間のクリアランス部に給気装置の外気取入部を配する場合がある（請求項３）。
【００１９】
木造住宅の耐震性を高めるため、躯体の柱材の屋外側に構造用合板を配する場合があるが、この場合も、外壁化粧材と柱材との間のクリアランス部（隙間）に給気装置の外気取入部を配することで、外壁化粧材の表面汚損を防止する。躯体を構成する柱材の間に、断熱材または／および構造用合板を配しても良い。
【考案の効果】
【００２０】
本考案の構成によれば、強制換気システムを用いた木造住宅における、給気装置に起因する外壁化粧材の表面汚損を防止することが出来る。
【図面の簡単な説明】
【００２１】
【図１】実施形態に係る木造住宅の換気装置を示す平面図である。
【図２】図１に係る給気装置を示す縦断面図である。
【図３】図１に係る給気装置を示す斜視図である。
【図４】図１に係る給気装置を示す水平断面図である。
【図５】図１に係る外壁本体の他の実施形態を示す水平断面図である。
【図６】従来の木造住宅の換気装置を示す平面図である。
【図７】図６に係る給気装置を示す縦断面図である。
【考案を実施するための形態】
【００２２】
図１は、本考案に係る木造住宅の換気装置を示すものである。
【００２３】
この換気装置は、住宅（木造住宅）３０の適宜箇所にファン装置を備える排気装置３１を設け、常時、住宅３０内の空気を屋外に排出させる一方、住宅３０の適宜箇所に外気を取り入れる給気装置４０を設けてなる。
【００２４】
３２は外壁本体、３３は外壁化粧材、３４は間仕切壁、３５は、室内等空気を排気するための空気取入口、３６は、排気装置３１に対して室内等空気を送り込むためのダクト（排気専用管）である。以下、構成を具体的に説明する。
【００２５】
排気装置３１は、例えばＤＣモータ等、消費電力が少なく、作動音が静かなモータを使用することが望ましい。排気能力は、例えば２４時間で、住宅３０内の空気を総入れ替えできる程度のものであれば良い。排気量を、数段階で切り替え出来るタイプのものであっても良い。
【００２６】
排気装置３１の排気口３１−１は、外壁化粧材３３から屋外側に突出させて配置することが好ましい。３１−２は、排気装置３１とダクト３６とを連結させるためのコネクタ（管連結部）である。
【００２７】
コネクタ３１−２は、好ましくは複数個設ける。住宅３０の構造等によりダクト３６を共用できない場合があり、共用ダクト／独立ダクトが混在することが少なくないからである。住宅３０内の空気を屋外へ排出させるためのダクト３６は、例えば床下／天井裏等、居室等に露出しない適宜箇所に配する。
【００２８】
図２に示すように、給気装置４０は、例えば、屋外側の外気取入部４１、パイプ材４２、室内側の外気排出部４３とからなる。排気装置３１とは異なり、外気を強制吸入するためのモータ装置を必要としないが、外気を強制吸入するためのモータ装置を搭載させても良い。
【００２９】
住宅３０の外壁は、例えば、外壁本体３２を構成する柱材（間柱を含む）３２−１の屋外側に胴縁３２−２を配し、この胴縁３２−２（例えば横方向に配設する横胴縁）の屋外側に外壁化粧材３３を配設する。
【００３０】
３０−１は基礎、３０−２は土台、３０−３は床（床構造体）、３０−４は内装材（例えば石膏ボード／内装化粧材等）、３０−５は胴差、３０−６は、内装材３０−４の受材である。
【００３１】
胴縁３２−２を設けるので、柱材（間柱を含む）３２−１と外壁化粧材３３との間には、クリアランス部（胴縁の介在による隙間）３２−４が生じる。
【００３２】
給気装置４０の外気取入部４１は、柱材（間柱を含む）３２−１と外壁化粧材３３との間のクリアランス部３２−４に配する。
【００３３】
この外気取入部４１は、例えば図３に示すように、外壁化粧材３３と略平行な垂直面４１−１を備える肉薄の箱状体に成形することが好ましい。そして、例えば、箱状体の側面/上面４１−２に空気取入開口４１−３を設け、当該部分に、ゴミや昆虫等の侵入を防止するフィルターを設ける。垂直面４１−１の形状は、矩形、円形、矩形以外の多角形のいずれであっても良い。下面に空気取入開口を設けても良い。
【００３４】
外壁化粧材３３を固定するための胴縁３２−２は、横胴縁（図２参照）であっても良いし、縦胴縁（図４参照）であっても良い。
【００３５】
室内側に設ける外気排出部４３も、外気取入部４１と略同様の構成とすることが出来る。箱状体の側面（４１−２）から給気することにより、垂直面（４１−１）から給気するよりも空気の流れを緩和する（柔らかくする）ことが出来るからである。
【００３６】
住宅３０の外壁本体３２は、例えば、図４に示すように、柱材（間柱を含む）３２−１と柱材３２−１との間に、断熱材３２−７を配することが好ましい。断熱材３２−７としては、例えばグラスウールを用いることが出来る。熱伝導率が小さな、いわゆる高性能グラスウールを用いることが望ましい。グラスウールは、安価であり市場供給量が安定している。断熱材３２−７としては、ポリスチレン系材料も使用可能であるが、防火コーティングを要するほか、経年劣化で収縮しやすい等の難がある。
【００３７】
断熱材３２−７として高性能グラスウールを用いる場合は、例えば、屋外側の表面に透湿防水シート３２−８を配設し、屋内側の表面に防湿機密フィルム３２−９を配設することが望ましい。透湿防水シート３２−８と防湿機密フィルム３２−９は、異なる材質でも良いし、同一の材質でも良い。図４に示す胴縁３２−２は、柱材３２−１に沿って縦方向に配する縦胴縁を示した。給気装置４０の配設構造を、より明確にするためである。
【００３８】
胴縁３２−２によって形成される外壁化粧材３３の裏側のクリアランス部３２−４の幅寸法は、例えば１０ｍｍ〜２０ｍｍとする。
【００３９】
図２、図４では、クリアランス部３２−４に配する外気取入部４１と外壁化粧材３３の裏側との間に若干の隙間があるように図示したが、箱状体を呈する外気取入部４１の側面４１−２に空気取入開口４１−３を設ける場合（図３参照）は、外気取入部４１と外壁化粧材３３の裏側との間の隙間はなくても構わない。
【００４０】
給気装置４０の配設箇所はとくに限定されないが、火気（ボイラー／灯油ストーブ等、直接裸火をもつ物）を使用する場所には、外気供給のために配設することが望ましい。特にキッチン／浴室は、給気装置４０による外気の直接供給を行うことが好ましい。
【００４１】
従って、かかる構成によれば、排気装置３１の作動によって生ずる住宅３０内の負圧を、給気装置４０を介して外気導入により補う換気システム（強制換気）において、給気装置４０の外気取入部４１を、外壁化粧材３３の裏側のクリアランス部３２−４に設けるので、換気空気の結露等に起因する外壁化粧材３３の表面汚損を防止でき、住宅の外観美を長期保証することが出来る。
【００４２】
また、外気取入部４１は、外壁化粧材３３の裏側に位置するので、強風時における外気の強い室内流入を防止し、台風等の大量降水時における雨水の住宅内浸入を防止するので、居住の快適を確保できる。
【００４３】
給気装置４０の外気取入部４１を、外壁化粧材３３と略平行な垂直面を備える箱状体に成形することにより、狭い隙間（クリアランス部３２−４）に外気取入部４１を設置し易くすることが出来る。
【００４４】
また、側面４１−２に空気取入開口４１−３を設けることによって、外壁化粧材３３の裏面との間の隙間が狭く、例えば近接／当接している場合でも、十分な量の外気を安定して取り入れることが可能となる。
【００４５】
住宅３０の躯体（とくに外壁）は、伝統的な軸組工法でも良いし、枠組壁構造（２×４工法を含む）であっても良い。枠組壁構造は、土台３０−２と胴差３０−５の間に、適宜数の枠体（フレーム材）を配することによって躯体の耐震性能を高める外壁構造である。
【００４６】
図５は、柱材（間柱を含む）３２−１の屋外側に、構造用合板５０を設けて躯体の耐震性能を高める外壁構造を示すものである。
【００４７】
構造用合板５０は、例えば釘５１を介して柱材３２−１に固定する。内装材３０−４の固定も、例えば釘５１を介して行う。
【００４８】
この場合も、柱材（間柱を含む）３２−１と外壁化粧材３３の裏面との間のクリアランス部３２−４に、給気装置４０の外気取入部４１を配することによって、外壁化粧材３３の表面汚損を防止することが出来る。柱材（間柱を含む）３２−１と柱材（間柱を含む）３２−１との間には、高性能グラスウール（断熱材；図示せず）を配することが好ましい。
【００４９】
構造用合板５０は、躯体の耐震性能を高めるが、通気性が殆どないので、給気装置４０の配設用（設置用）の孔（図示せず）を設け、当該孔にパイプ材４２を装着するに際して、孔とパイプ材４２との微妙な隙間を埋める（例えばコーキングする等）の必要は、必ずしもない。
【００５０】
構造用合板５０に設けた孔と、パイプ材４２の外周部との間に生じる隙間を埋めても良いが、構造用合板５０は、もともと高い気密性をもっており、過度の高気密状態は好ましくないという設計思想もあるので、個別に対応／施工することが好ましい。
【００５１】
なお、給気装置４０を構成するパイプ材４２は、外壁本体３２の幅寸法に柔軟に対応可能とさせるため、伸縮可能な所謂テレスコープ型の構造としておくことが好ましい。
【００５２】
前記説明では、給気装置４０を、床（床構造体）３０−３に近い位置に配するよう図示した（図２参照）。しかし、給気装置４０の高さ位置は、浴室／キッチン／居室等における生活動線等に基づいて、個別に設計することが望ましく、必ずしも床上に近い箇所に外気排出部４３を位置させる必要はない。
【００５３】
但し、より好ましくは、給気装置４０の外気排出部４３と、室内等空気を排気するための空気取入口３５は、浴室を含む室内等において上下方向の対角位置に配する。室内等の空気を、淀みなく入れ替え可能とするためである。
【符号の説明】
【００５４】
３０  住宅（木造住宅）
３０−１  基礎
３０−２  土台
３０−３  床（床構造体）
３０−４  内装材
３０−５  胴差
３０−６  （内装材の）受材
３１  排気装置
３１−１  （排気装置の）排気口
３１−２  （排気装置の）コネクタ
３２  外壁本体
３２−１  柱材
３２−２  胴縁
３２−４  クリアランス部（胴縁の介在による隙間）
３２−７  断熱材
３２−８  透湿防水シート
３２−９  防湿機密フィルム
３３  外壁化粧材
３４  間仕切壁
３５  （住宅内の）空気取入口
３６  ダクト（排気専用管）
４０  給気装置
４１  外気取入部
４１−１  垂直面
４１−２  側面、上面（下面）
４１−３  空気取入開口
４２  パイプ材
４３  外気排出部
５０  構造用合板
５１  釘
【図１】
0003211082.tif 000003
【図２】
0003211082.tif 000004
【図３】
0003211082.tif 000005
【図４】
0003211082.tif 000006
【図５】
0003211082.tif 000007
【図６】
0003211082.tif 000008
【図７】
0003211082.tif 000009